(57)【要約】【課題】  掘削手段の接触によって損傷させることなく、側壁を構築することができ、或いは、掘削領域に向けて平面を形成することができるコンクリート矢板を提供することを課題とする。【解決手段】  構造体の構築において、土留め壁として用いられるコンクリート矢板１であって、プレキャストコンクリートによって矢板本体２が構成されており、矢板本体２において、掘削領域に向けて配置される内方側面５には、内方側面５を覆う防護板１０（被覆部材）が取り外し可能な状態で取り付けられていることを特徴としている。【選択図】      図２
2006057424.tif 000002
【特許請求の範囲】
【請求項１】
構造体の構築において、土留め壁として用いられるコンクリート矢板であって、
プレキャストコンクリートによって矢板本体が構成されており、
前記矢板本体において、掘削領域に向けて配置される内方側面には、前記内方側面を覆う被覆部材が取り外し可能な状態で取り付けられていることを特徴とするコンクリート矢板。
【請求項２】
構造体の構築において、土留め壁として用いられるコンクリート矢板であって、
プレキャストコンクリートによって矢板本体が構成されており、
前記矢板本体において、掘削領域に向けて配置される内方側面には、被覆部材が取り付けられており、
前記被覆部材によって、前記内方側面の少なくとも一部が覆われることにより、前記掘削領域に向けて平面が形成されていることを特徴とするコンクリート矢板。
【請求項３】
前記矢板本体の内方側面には、上下方向に延長させた凹溝が設けられており、
前記矢板本体の内方側面に取り付けられた前記被覆部材によって、前記凹溝が覆われていることを特徴とする請求項１または請求項２に記載のコンクリート矢板。
【請求項４】
前記被覆部材には凸部が設けられており、
前記矢板本体の内方側面に取り付けられた前記被覆部材の凸部が、前記矢板本体の前記凹溝内に突出していることを特徴とする請求項３に記載のコンクリート矢板。
【請求項５】
前記矢板本体の内方側面と前記被覆部材との隙間に充填された充填材によって、前記被覆部材が前記矢板本体の内方側面に取り付けられていることを特徴とする請求項１から請求項４のいずれか１項に記載のコンクリート矢板。
【請求項６】
前記矢板本体の内方側面には、防水剤が塗布されていることを特徴とする請求項１から請求項５のいずれか１項に記載のコンクリート矢板。
【発明の詳細な説明】
【技術分野】
【０００１】
本発明は、構造体の構築に用いられるコンクリート矢板に関する。
【背景技術】
【０００２】
地下道路等の構造体の構築において、プレキャストコンクリートである複数のコンクリート部材を一方向に並設して地盤内に側壁を構築し、この側壁を土留め壁として地盤を掘削した後に、その側壁を構造体の壁体として利用する施工方法がある（例えば、特許文献１参照）。
【特許文献１】特許３１６６００７号公報（段落００１６〜００１７、図２）
【発明の開示】
【発明が解決しようとする課題】
【０００３】
ここで、バックホウ等の掘削装置を用いて側壁の内方側を掘削する際に、バケット等の掘削手段が側壁に接触してしまう場合がある。特に、コンクリート部材に凹溝が形成されている場合には、掘削手段を凹溝内に侵入させて土砂を除去する必要があり、掘削手段の操作が難しいため、側壁に接触する可能性が非常に高くなっている。
そして、コンクリート部材による側壁は、鋼製の側壁と比較して靭性が低いため、掘削手段の接触によって側壁が損傷してしまうという問題がある。
また、前記施工方法では、側壁を構造体の壁体に利用しており、例えば、側壁を外部に露出させた構造体を構築する場合には、側壁の損傷が小さくても美観が損なわれてしまうという問題がある。
【０００４】
さらに、コンクリート部材による側壁の脇に歩道を設けた際に、コンクリート部材に溝が形成されている場合には、歩行者は溝による凹凸を避けながら進む必要があり、壁面に沿って円滑に移動することが困難となってしまう。特に、視覚障害者や幼児は、壁面に沿って円滑に移動することが一層困難となってしまうという問題がある。
また、溝が形成されたコンクリート部材による側壁を、河川等の水路に用いた場合には、溝の凹凸によって乱流が生じる可能性がある。そして、乱流が生じた場合には、側壁と地盤の境が掘り起こされ、側壁が不安定な状態になってしまうという問題がある。
【０００５】
そこで、本発明では、前記した問題を解決し、掘削手段の接触によって損傷させることなく、側壁を構築することができ、或いは、掘削領域に向けて平面を形成することができるコンクリート矢板を提供することを課題とする。
【課題を解決するための手段】
【０００６】
前記課題を解決するため、請求項１に記載の発明は、構造体の構築において、土留め壁として用いられるコンクリート矢板であって、プレキャストコンクリートによって矢板本体が構成されており、矢板本体において、掘削領域に向けて配置される内方側面には、内方側面を覆う被覆部材が取り外し可能な状態で取り付けられていることを特徴としている。
【０００７】
ここで、プレキャストコンクリートとは、予め工場等で製造されたコンクリート製の部材であり、内部に鉄筋等の補強筋を配筋してもよく、コンクリート矢板に作用する応力に対応させて適宜に設定することが好ましい。
また、被覆部材の材質は限定されるのものではなく、例えば、鋼製、コンクリート製、樹脂製、或いは木製の板やシートを用いることができる。
【０００８】
このように、本発明のコンクリート矢板では、矢板本体の内方側面を被覆部材によって覆うことにより、掘削手段が矢板本体に接触することを防止することができるため、矢板本体の損傷を確実に防止することができる。そして、掘削後に被覆部材を取り外すことにより、コンクリート矢板による側壁を無傷な状態で構築することができる。
また、矢板本体の内方側面に溝が設けられている場合であっても、被覆部材によって溝が覆われるため、溝の形状に対応させて掘削手段を移動させる必要がなくなり、コンクリート矢板近傍の土砂を簡易に掘削することができる。
さらに、矢板本体の内方側面を被覆部材によって覆うことにより、コンクリート矢板を地盤内に立設した際に、土砂や泥水等による内方側面の汚れ（しみ）を防ぐことができる。
【０００９】
また、請求項２に記載の発明は、構造体の構築において、土留め壁として用いられるコンクリート矢板であって、プレキャストコンクリートによって矢板本体が構成されており、矢板本体において、掘削領域に向けて配置される内方側面には、被覆部材が取り付けられており、被覆部材によって、内方側面の少なくとも一部が覆われることにより、掘削領域に向けて平面が形成されていることを特徴としている。
【００１０】
このように、本発明のコンクリート矢板では、被覆部材によって、内方側面の少なくとも一部が覆われることにより、掘削領域に向けて平面が形成されるため、コンクリート矢板による側壁の脇に歩道を設けた場合に、歩行者が平坦な壁面に沿って円滑に移動することができる。特に、視覚障害者や幼児であっても壁面に沿って円滑かつ安全に移動することができる。
また、本発明のコンクリート矢板による側壁を河川等の水路に用いた場合には、側壁の凹凸による乱流を防ぐことができ、乱流による地盤の掘り起しを防ぐことができる。
なお、掘削領域に向けて平面が形成されるのであれば、矢板本体の内方側面全域を被覆部材によって覆う必要はなく、例えば、矢板本体の内方側面に凹溝が形成されている場合には、凹溝のみを被覆部材によって覆うことにより、平面を形成することができる。
【００１１】
また、請求項３に記載の発明は、請求項１または請求項２に記載のコンクリート矢板であって、矢板本体の内方側面には、上下方向に延長させた凹溝が設けられており、矢板本体の内方側面に取り付けられた被覆部材によって、凹溝が覆われていることを特徴としている。
【００１２】
ここで、上下方向に延長された凹溝が設けられている矢板とは、例えば、平面視でＵ形状となる矢板であり、このような矢板を順次に並設することにより、平面視で波形の壁体を構築することができる。そして、凹溝が設けられた矢板では、地盤からの水平応力が作用した際に、その応力方向が分散されるため、同じ厚さであれば平板状の矢板と比較して強度を大きくすることができる。また、中空杭と比較して構造が簡易化されており、同じ強度の中空杭よりも軽量化を図ることができる。
【００１３】
このように、本発明のコンクリート矢板では、矢板本体の内方側面に設けた凹溝を被覆部材によって覆うことにより、コンクリート矢板を地盤内に立設した際に、凹溝内への土砂の浸入を防止することができる。これは、コンクリート矢板の周囲で泥水を固化して、コンクリート矢板を地盤内に立設する場合に有効であり、凹溝内への泥水の侵入を防止することができるため、凹溝内の容量に相当する泥水量を削減することができるとともに、泥水を固化させた後に凹溝内を掘削する必要がなくなるため、掘削量を少なくすることができる。
【００１４】
また、請求項４に記載の発明は、請求項３に記載のコンクリート矢板であって、矢板本体の内方側面には、上下方向に延長させた凹溝が設けられているとともに、被覆部材には凸部が設けられており、矢板本体の内方側面に取り付けられた被覆部材の凸部が、矢板本体の凹溝内に突出していることを特徴としている。
【００１５】
ここで、被覆部材において、矢板本体に設けられた凹溝内の空間に対応する部位は、被覆部材を矢板本体に取り付けた際に、矢板本体によって支持されないため、強度が小さく、掘削手段の接触や土圧、或いはコンクリート矢板を地盤に打設した際の衝撃によって破損してしまう可能性がある。
しかし、本発明のコンクリート矢板では、矢板本体の内方側面に設けられた凹溝に対応させて被覆部材に凸部を設けており、この部位の強度が大きくなっているため、被覆部材の破損を防止することができる。
【００１６】
さらに、凹溝の内部形状と同一形状に凸部を形成した場合には、被覆部材によって凹溝内全域が塞がれるため、凹溝内への土砂の浸入を確実に防止することができる。
【００１７】
また、請求項５に記載の発明は、請求項１から請求項４のいずれか１項に記載のコンクリート矢板であって、矢板本体の内方側面と被覆部材との隙間に充填された充填材によって、被覆部材が矢板本体の内方側面に取り付けられていることを特徴としている。
【００１８】
ここで、被覆部材を矢板本体に取り付けるための充填材は、十分な接着力を発揮するものであれば、その材質は限定されるものではないが、被覆部材を矢板本体から取り外し可能な構成では、被覆部材を矢板本体から取り外した後に、矢板本体の内方側面から簡易に剥離可能なストリッパブルジェルやウレタンスポンジを用いることが好ましい。
【００１９】
このように、本発明のコンクリート矢板では、矢板本体の内方側面と被覆部材との隙間に充填材を充填することにより、被覆部材を矢板本体の内方側面に取り付けることができるため、矢板本体の内方側面に対して、被覆部材を簡易に取り付けることができるとともに、矢板本体を加工する必要がなくなり、矢板本体の製造コストを抑制することができる。
【００２０】
また、請求項６に記載の発明は、請求項１から請求項５のいずれか１項に記載のコンクリート矢板であって、矢板本体の内方側面には、防水剤が塗布されていることを特徴としている。
【００２１】
ここで、防水剤としては、例えば、シラン系または非シラン系の浸透型防水剤であり、コンクリート部材の表面に塗布することにより、その表面が防水（撥水）加工され、雨水や泥水等による表面の汚れ（しみ）を防ぐことができる。
【００２２】
このように、本発明のコンクリート矢板では、矢板本体の内方側面が防水剤によって防水加工されているため、雨水や泥水等による汚れを防ぐことができる。これは、被覆部材を矢板本体から取り外し可能な構成において特に有効であり、被覆部材を取り外した後であっても、雨水や泥水等による汚れを防ぐことができるため、防汚性能に優れた側壁を構築することができる。また、側壁を構築する際に、内方側面に土砂や泥水等の汚れが付着した場合であっても、簡易に洗い流すことができる。
【発明の効果】
【００２３】
このようなコンクリート矢板において、矢板本体の内方側面を覆う被覆部材を取り外し可能な状態で取り付けた構成では、掘削手段の接触による矢板本体の損傷を確実に防止することができ、掘削後には被覆部材を取り外すことにより、コンクリート矢板による側壁を構築することができる。これにより、掘削装置を操作するオペレータの技量が未熟であっても、コンクリート矢板による側壁を無傷な状態で構築することができる。
また、矢板本体の内方側面に溝が設けられている場合であっても、被覆部材によって溝が覆われるため、溝の形状に対応させて掘削手段を移動させる必要がなくなり、コンクリート矢板近傍の土砂を簡易に掘削することができ、施工効率を高めることができる。
さらに、矢板本体の内方側面を被覆部材によって覆うことにより、コンクリート矢板を地盤内に立設する際に、土砂や泥水等による内方側面の汚れ（しみ）を防ぐことができる。
また、被覆部材によって、内方側面の少なくとも一部が覆われることにより、掘削領域に向けて平面が形成される構成では、コンクリート矢板による側壁の脇に歩道を設けた場合に、歩行者が平坦な壁面に沿って円滑に移動することができる。さらに、コンクリート矢板による側壁を河川等の水路に用いた場合には、側壁の凹凸による乱流を防ぐことができ、乱流による地盤の掘り起しを防ぐことができる。
また、矢板本体の内方側面に凹溝が設けられている場合には、被覆部材を内方側面に取り付けることにより、凹溝内への土砂の浸入を防止することができる。これにより、コンクリート矢板の周囲の泥水を固化する際に、凹溝内への泥水の侵入を防止することができ、凹溝内の容量に相当する泥水量を削減することができるとともに、泥水を固化させた後に凹溝内を掘削する必要がなくなり、掘削量を少なくすることができるため、施工効率を高めることができる。
【発明を実施するための最良の形態】
【００２４】
次に、本発明の実施形態について、適宜図面を参照しながら詳細に説明する。
なお、各実施形態の説明において、同一の構成要素に関しては同一の符号を付し、重複した説明は省略するものとする。
【００２５】
［第１実施形態］
まず、本発明の第１実施形態について、適宜図面を参照しながら詳細に説明する。図１は、第１実施形態のコンクリート矢板を示した図で、（ａ）はコンクリート矢板の斜視図、（ｂ）はその平面図である。図２は、第１実施形態のコンクリート矢板を示した図で、（ａ）は防護板を取り付けたコンクリート矢板の斜視図、（ｂ）はその平面図である。
なお、コンクリート矢板の説明において、幅方向とは、図１（ｂ）の左右方向に対応している。
この第１実施形態では、地下道路を構築する際に用いられるコンクリート矢板を例として説明する。
【００２６】
（コンクリート矢板）
第１実施形態のコンクリート矢板１は、図１に示すように、地下道路（請求項における「構造体」）の構築において、土留め壁として用いられた後に、地下道路の側壁として用いられる部材であり、予め工場等で製作されたコンクリート製のプレキャスト部材（以下、「プレキャストコンクリート」という場合がある）によって矢板本体２が構成されている。
【００２７】
矢板本体２は板状の部材であり、上下方向に延長している凹溝３が、幅方向の中央に形成されるようにして折り曲げられている。この凹溝３は、地下道路の外方に向けて配置される外方側面４（図１（ｂ）における上側）から、地下道路の内方（請求項における「掘削領域」）に向けて配置される内方側面５（図１（ｂ）における下側）に向けて平面視で順次に拡幅されており、内方側面５で開口した状態になっている。
【００２８】
また、矢板本体２の内方側の幅方向における両端部には、他のコンクリート矢板１を並設するための継手部６ａ，６ｂが幅方向に突出している。
すなわち、本実施形態のコンクリート矢板１は、凹溝３によって平面視で略Ｕ形状となっている部位と、Ｕ形となる部位の両端部から幅方向に突出している継手部６ａ，６ｂとが形成されている所謂Ｕ形の矢板である。
【００２９】
このように、凹溝３が形成されたコンクリート矢板１では、外方側から水平応力が作用した際に、その応力方向が分散されるため、同じ厚さであれば平板状の矢板よりも強度を大きくすることができる。また、中空杭と比較して構造が簡易化されており、同じ強度を有する中空杭よりも軽量化されているため、コンクリート矢板１を簡易に搬送することができる。
なお、コンクリート矢板１は、各種搬送手段によって簡易に搬送可能となるようにして、矢板本体２の上下方向の長さおよび重量が設定されている。さらに、矢板本体２内に鉄筋等の補強筋を配筋することにより、コンクリート矢板１の強度を大きくしてもよい。
【００３０】
また、継手部６ａ，６ｂにおいて、幅方向の側端面は、他のコンクリート矢板１が幅方向に接合される接合面７ａ，７ｂとなっており、一方の継手部６ａ（図１（ｂ）における右側）の接合面７ａには凹部８ａが形成され、他方の継手部６ｂ（図１（ｂ）における左側）の接合面７ｂには凸部８ｂが形成されている。そして、隣り合うコンクリート矢板１，１の接合面７ａ，７ｂの凹部８ａと凸部８ｂとが嵌め合わされるように構成されている。このように、継手部６ａ，６ｂを利用して、複数のコンクリート矢板１を並設することにより、平面視で波形の壁体を形成することができる。
【００３１】
さらに、継手部６ａ，６ｂの内方側面５には、ネジ孔が形成された埋込金物９が上下方向に所定間隔を空けて複数埋設されており、各継手部６ａ，６ｂに埋設された各埋込金物９，９は幅方向において対峙した位置に配置されている。
【００３２】
（防護板）
また、第１実施形態のコンクリート矢板１では、図２に示すように、矢板本体２の内方側面５に、防護板１０（請求項における「被覆部材」）を取り外し可能な状態で取り付けることができる。
この防護板１０は、幅および上下方向の長さが矢板本体２の内方側面５と同一な長方形の平面１０ａが形成された鋼板であり、この平面１０ａの両側端部には、矢板本体２の継手部６ａ，６ｂに埋設された各埋込金物９のネジ孔に連通するようにして、複数の貫通孔１１が設けられている。そして、各貫通孔１１に挿入したボルト１２を矢板本体２に埋設された各埋込金物９のネジ孔に螺着させて、矢板本体２の内方側面５に防護板１０を取り付けることにより、内方側面５全域が防護板１０によって覆われるように構成されている。
【００３３】
なお、防護板１０は、地盤を掘削する掘削手段が矢板本体２に接触することを防止するための部材であり、その材質は鋼板に限定されるものではなく、掘削手段が接触した際に穴が開いたり、亀裂が生じたりしない程度の強度を有していれば、コンクリート製、樹脂製、或いは木製の板やシートを用いることができる。
【００３４】
また、防護板１０の平面１０ａにおいて、矢板本体２側（外方側）には、矢板本体２の内方側面５に設けられた凹溝３の内部形状と同一形状の凸部１３が形成されている。
この凸部１３は、内部が中空に形成されており、その中空部にモルタル材が充填されることにより、凸部１３内が塞がれている。これにより、矢板本体２に防護板１０を取り付けた際に、凹溝３内全域が凸部１３によって塞がれることになる。
【００３５】
（地下道路の構築）
次に、第１実施形態のコンクリート矢板１を用いた地下道路の構築について説明する。
図３は、第１実施形態のコンクリート矢板を用いて地下道路を構築する態様を示した図で、（ａ）はコンクリート矢板によって側壁を構築した状態の平面図、（ｂ）は図３（ａ）のＡ−Ａ断面図である。図４は、第１実施形態のコンクリート矢板を用いて地下道路を構築する態様を示した図で、コンクリート矢板による側壁の内方側を掘削している態様の平面図、（ｂ）はその側断面図である。図５は、第１実施形態のコンクリート矢板を用いて地下道路を構築する態様を示した図で、（ａ）は防護板を取り外している態様の側断面図、（ｂ）は側壁に支保工を取り付けた状態の側断面図である。図６は、第１実施形態のコンクリート矢板を用いて構築した地下道路を示した断面図である。
なお、第１実施形態において、幅員方向とは、図３から図６の左右方向に対応しており、地下道路の延長方向とは、図３（ａ）および図４（ａ）の上下方向に対応している。
【００３６】
（掘削溝構築工程）
まず、図３（ａ）に示すように、地下道路５０（図６参照）の延長方向に沿って掘削した側壁用溝５１を、幅員方向に所定間隔を空けて２箇所に構築する。
【００３７】
（防水剤塗布工程）
一方、コンクリート矢板１の矢板本体２の内方側面５に防水剤を塗布して防水（撥水）加工を施す。なお、防水剤としては、例えば、シラン系または非シラン系の浸透型防水剤を用いることができるが、内方側面５の表面を防水（撥水）加工することができるのであれば、その原料は限定されるものではない。
【００３８】
（防護板取り付け工程）
また、図２に示すように、防護板１０の凸部１３内にモルタルを充填して硬化させた後に、矢板本体２の内方側面５上に防護板１０を重ね合わせ、防護板１０の凸部１３と内方側面５の凹溝３とを嵌め合わせる。そして、防護板１０の各貫通孔１１に挿入したボルト１２を、矢板本体２に埋設された各埋込金物９のネジ孔に螺着させることにより、矢板本体２の内方側面５に防護板１０を取り付ける。これにより、矢板本体２の内方側面５全域が防護板１０によって覆われ、さらに、凹溝３内全域が防護板１０の凸部１３によって塞がれた状態となる。
なお、前記した防水剤塗布工程および防護板取り付け工程は、施工現場で簡易に行うことができるが、コンクリート矢板１を製作した際に予め工場等で行ってもよい。
【００３９】
（コンクリート矢板打設工程）
続いて、図３（ｂ）に示すように、施工現場内に搬入された２体のコンクリート矢板１を上下に接合する。具体的には、下方のコンクリート矢板１の上端面に、上方のコンクリート矢板１の下端面を当接させ、各コンクリート矢板１，１の境に設けた接合部材（図示せず）によって接合する。この接合部材の構成は限定されるものではなく、例えば、上下のコンクリート矢板１，１に渡って配置した板状の部材を、各コンクリート矢板１，１にボルト等の固定手段によって取り付けることにより、上下のコンクリート矢板１，１を接合する構成がある。
【００４０】
そして、側壁用溝５１内に泥水を注入し、上下に接合した２体のコンクリート矢板１，１を側壁用溝５１内に挿入する。
このとき、矢板本体２の内方側面５が防護板１０によって覆われているとともに、防護板１０の凸部１３によって、凹溝３内全域が塞がれており、凹溝３内への泥水の浸入が確実に防止されているため、泥水による内方側面５の汚れ（しみ）を防ぐことができる。
なお、各コンクリート矢板１，１を挿入する際には、その内方側面５を各側壁用溝５１，５１の間に向けて配置する（図６参照）。これにより、矢板本体２に取り付けられた防護板１０は、各側壁用溝５１，５１の間、すなわち、掘削領域に向けて配置された状態になる。
【００４１】
（側壁構築工程）
さらに、図３（ｂ）に示すように、前記コンクリート矢板打設工程と同様にして、他の２体のコンクリート矢板１，１を上下に接合し、このコンクリート矢板１，１を、既に側壁用溝５１内に配置されているコンクリート矢板１，１の側方に配置する。そして、隣り合うコンクリート矢板１，１を接合して、２体１組のコンクリート矢板１，１を地下道路５０（図４参照）の延長方向に並設する。このようにして、２体１組のコンクリート矢板１，１を順次に並設し、側壁用溝５１内に平面視で波形状の側壁２０を配置する。
なお、隣り合うコンクリート矢板１，１の接合は、各継手部６ａ，６ｂの接合面７ａ，７ｂ（図１参照）に設けた凹部８ａと凸部８ｂとを嵌め合う構成や、止水材を介在させる構成など、その構成は限定されるものではない。
【００４２】
続いて、側壁用溝５１内の泥水にセメント等の固化剤を注入して泥水を固化させることにより、側壁２０を側壁用溝５１内に固定する。
このとき、防護板１０の凸部１３によって、内方側面５の凹溝３内全域が塞がれており、凹溝３内への泥水の浸入が防止されているため、凹溝３内の容量に相当する泥水量が削減され、固化する泥水量が少なくなることから、施工効率を高めることができる。
【００４３】
同様にして、他方の側壁用溝５１内にコンクリート矢板１，１による側壁２０を固定することにより、幅員方向に所定間隔を空けて対峙している２体の側壁２０，２０を地盤内に構築する（図６参照）。
【００４４】
（地下道路構築工程）
そして、図４に示すように、各側壁２０，２０を土留め壁として利用しながら、各側壁２０，２０の間をバックホウ等の掘削装置６０によって掘削することにより、道路用溝５２を構築する。
ここで、側壁２０，２０は、平面視で波形状の壁体であり、地盤から各側壁２０，２０に作用した水平応力の応力方向が分散されることから、その強度が十分に確保されているため、地盤の崩落を確実に防止することができる。
【００４５】
また、矢板本体２の内方側面５は、防護板１０によって覆われているため、掘削装置６０の掘削手段（バケット）６１と矢板本体２との接触が防止されている。これにより、掘削時における矢板本体２の損傷を確実に防止することができる。
さらに、内方側面５の凹溝３を防護板１０によって覆うことにより、凹溝３の形状に対応させて掘削手段６１を移動させる必要がなくなるため、コンクリート矢板１近傍の土砂を簡易に掘削することができる。
また、防護板１０の凸部１３によって、内方側面５の凹溝３内への泥水の浸入が防止されており、掘削時に凹溝３内を掘削する必要がないため、掘削量が少なくなっている。
このように、防護板１０によって、掘削装置６０と矢板本体２との接触が防止されており、さらに、掘削量が少なく、掘削手段６１を複雑に移動させる必要がないため、掘削装置６０を操作するオペレータの技量が未熟であっても、コンクリート矢板１による側壁２０，２０を損傷させることなく、道路用溝５２を掘削することができる。
【００４６】
（防護板取り外し工程）
そして、図５（ａ）に示すように、下方のコンクリート矢板１の上端部が露出する深度まで道路用溝５２を掘削した後に、上方のコンクリート矢板１の矢板本体２から防護板１０を取り外して内方側面５を露出させる。これにより、コンクリート矢板１による側壁２０，２０を、道路用溝５２の両側に無傷な状態で構築することができる。
また、矢板本体２の内方側面５は、防水剤によって防水（撥水）加工されており、防護板１０を取り外した後であっても、雨水や泥水等によるコンクリート矢板１の汚れ（しみ）を防ぐことができるため、防汚性能に優れた側壁２０を構築することができる。
さらに、矢板本体２の内方側面５を防水加工することにより、矢板本体２と防護板１０との隙間に泥水が入り込んでしまったとしても、内方側面５の汚れを簡易に洗い流すことができる。
【００４７】
（床体接合工程）
その後、図５（ｂ）に示すように、道路用溝５２の両側に構築された側壁２０，２０間に支保工５３を設けて側壁２０，２０を支持しながら、道路用溝５２を所定深度まで掘削した後に、図６に示すように、道路用溝５２の底面にコンクリート材を打設して床体５４を構築し、各側壁２０，２０と床体５４とを剛接合する。さらに、床体５４の上面に道路５５を構築して地下道路５０を完成させる。
なお、図５（ｂ）に示す支保工５３は、必ずしも設ける必要はなく、地盤からの土圧と側壁２０，２０の強度とを考慮して適宜に設けられるものである。
【００４８】
このように、第１実施形態のコンクリート矢板１では、図２に示すように、矢板本体２の内方側面５を覆う防護板１０が取り外し可能に取り付けられているため、掘削手段の接触による矢板本体２の損傷を確実に防止することができ、掘削後には防護板１０を取り外すことにより、コンクリート矢板１による側壁２０（図６参照）を構築することができる。これにより、掘削装置を操作するオペレータの技量が未熟であっても、コンクリート矢板１による側壁２０を無傷な状態で構築することができる。
【００４９】
以上、本発明の第１実施形態について説明したが、本発明は前記第１実施形態に限定されるものではない。
図７は、第１実施形態の防護板の他の実施形態を示した図で、（ａ）は水抜き孔を用いて矢板本体に取り付ける構成の平面図、（ｂ）は充填材によって矢板本体に取り付ける構成の平面図、（ｃ）は、平板を用いた構成の平面図である。図８は、第１実施形態の防護板の他の実施形態を示した図で、（ａ）は平面視で台形の凸部を形成した構成の平面図、（ｂ）は平面視で半円形の凸部を形成した構成の平面図、（ｃ）はリブ状の凸部を形成した構成の平面図である。
【００５０】
第１実施形態では、図２に示すように、防護板１０の貫通孔１１に挿入したボルト１２を、矢板本体２の継手部６ａ，６ｂに埋設した埋込金物９のネジ孔に螺着させることにより、矢板本体２に防護板１０を取り付けているが、図７（ａ）に示すように、防護板１０の内方側から凸部１３内を通過して外方側に貫通させた取付孔１３ａを形成し、この取付孔１３ａを矢板本体２に設けられた水抜き孔２ａに連通させ、防護板１０の内方側から取付孔１３ａに挿入したボルト１４を、水抜き孔２ａ内に形成した雌ネジ部に螺着させることにより、防護板１０を矢板本体２に取り付けることができる。これにより、矢板本体２を僅かに加工するだけで、防護板１０を取り付けることができる。
【００５１】
また、図７（ｂ）に示すように、内方側面５と防護板１０との隙間に充填材１５を充填することにより、矢板本体２の内方側面５に防護板１０を取り付ける構成がある。
ここで、充填材１５は、十分な接着力を発揮するものであれば、その材質は限定されるものではないが、防護板１０を矢板本体２から取り外した際に、内方側面５から簡易に剥離可能なストリッパブルジェルやウレタンスポンジを用いることが好ましい。
この構成では、矢板本体２の内方側面５と防護板１０との隙間に充填材１５を充填することにより、防護板１０を矢板本体２の内方側面５に取り付けることができるため、矢板本体２に対して、防護板１０を簡易に取り付けることができるとともに、矢板本体２を全く加工する必要がなくなり、矢板本体２の製造コストを抑制することができる。
【００５２】
さらに、図２に示す凸部１３の構成としては、中空の凸部１３内に土砂を充填して固化させることにより、凸部１３内を塞いでもよい。
または、凸部１３内にモルタルや土砂を充填することなく、凸部１３の上端面および下端面に蓋を設けることにより、凸部１３内を塞いでもよい。この構成では、凸部１３の内部に補強筋を設けることにより、凸部１３の強度を大きくしてもよい。
【００５３】
また、防護板１０に凸部１３を設けることなく、図７（ｃ）に示すように、平板状の防護板１０を用いることにより、防護板１０を簡易な構成にして、その製造コストを抑制することもできる。
ここで、平板状の防護板１０において、矢板本体２に設けられた凹溝３内の空間に対応する部位は、防護板１０を矢板本体２に取り付けた際に、矢板本体２によって支持されないため、強度が小さく、掘削手段の接触や土圧によって破損してしまう可能性がある。
そこで、図８（ａ）に示すように、矢板本体２の内方側面５に設けられた凹溝３内に突出するようにして、防護板１０に凸部１６を設けることにより、凹溝３内の空間に対応する部位の厚みを他の部位よりも大きくして強度を大きくすることができる。これにより、防護板１０の破損を防止することができ、防護板１０によって矢板本体２を確実に防護することができる。
【００５４】
なお、矢板本体２の内方側面５に設けられた凹溝３に対応する部位の強度を確実に大きくすることができる形状であれば、平面視で台形状に限定されるものではなく、図８（ｂ）に示すように、平面視で半円形状の凸部１７や、図８（ｃ）に示すように、先端部が凹溝３の底面３ａに当接しているリブ状の凸部１８でもよい。
【００５５】
また、粘着面を有するシートによって防護板１０を構成し、その粘着面を矢板本体２の内方側面５に貼り付けることにより、防護板１０を矢板本体２に取り付けてもよい。この構成においても、矢板本体２を全く加工する必要がなくなるため、矢板本体２の製造コストを抑制することができる。
【００５６】
［第２実施形態］
次に、本発明の第２実施形態について、適宜図面を参照しながら詳細に説明する。
図９は、第２実施形態のコンクリート矢板を示した図で、（ａ）は第２実施形態のコンクリート矢板の平面図、（ｂ）は第２実施形態の他の構成を示しており、被覆板の外方側の側面を湾曲させた構成の平面図である。図１０は、第２実施形態のコンクリート矢板の他の構成を示した図で、（ａ）は被覆板に凸部が形成された構成の平面図、（ｂ）は被覆板の凸部に中空部が形成された構成の平面図、（ｃ）は被覆板にリブ状の凸部が形成された構成を示した平面図である。
この第２実施形態のコンクリート矢板は、第１実施形態のコンクリート矢板１と略同様の構成であり、矢板本体２の内方側面２に取り付けられた被覆部材（第１実施形態では「防護板」、第２実施形態では「被覆板」という）の構成が異なっている。
【００５７】
（矢板本体）
第２実施形態のコンクリート矢板１’の矢板本体２には、図９（ａ）に示すように、幅方向の中央に形成された凹溝３内の左右側面において、内方側面５側となる位置に、ネジ孔を有する埋込金物９’が上下方向に所定間隔を空けて複数埋設されており、凹溝３内の左右側面に埋設された各埋込金物９’，９’は、幅方向において対峙した位置に配置されている。
【００５８】
（被覆板）
また、第２実施形態では、被覆板７０（請求項における「被覆部材」）が矢板本体２の凹溝３内に取り付けられるように構成されている。
被覆板７０は、幅および上下方向の長さが矢板本体２の凹溝３の開口部の周縁と同一に形成された長方形の板部材であり、この被覆板７０を凹溝３内に取り付けた際に、被覆板７０の内方側（図９（ａ）の下側）の平面７１と、矢板本体２の内方側面５とが同一平面を形成するように構成されている。
【００５９】
また、被覆板７０の両側端部には、凹溝３内に向けて突出するようにして取付部７２，７２が形成されている。この各取付部７２，７２には、凹溝３内の側面に埋設された各埋込金物９’，９’のネジ孔に連通するようにして、複数の貫通孔７３が設けられている。そして、各貫通孔７３に挿入したボルト７４を各埋込金物９’のネジ孔に螺着させることにより、凹溝３内に被覆板７０が取り付けられた状態となる。なお、貫通孔７３の開口部周囲には、ボルト７４の頭が平面７１から突出しないように切り欠き部７５が形成されている。
このように、第２実施形態のコンクリート矢板１’では、被覆板７０によって、矢板本体２の凹溝３を覆うことにより、地下道路の内方に向けて平坦な側面が形成されている。
【００６０】
なお、被覆板７０の材質は限定されるものではなく、コンクリート矢板１’を地盤に打設した際に、その衝撃や土圧によって破損しない程度の強度を有していれば、コンクリート製、鋼製、樹脂製、或いは木製の板を用いることができる。
【００６１】
（地下道路の構築）
次に、第２実施形態のコンクリート矢板１’を用いて地下道路を構築する場合について説明する。なお、第１実施形態と同様の構成については省略するものとする。
まず、矢板本体２の凹溝３内に被覆板７０を取り付け、その状態でコンクリート矢板１’を側壁用溝５１（図３参照）内に挿入する。このとき、凹溝３は被覆板７０によって塞がれているため、凹溝３内への泥水の浸入が防止され、凹溝３内の容量に相当する泥水量が削減されるため、固化する泥水量を少なくすることができ、施工効率を高めることができる。さらに、掘削時に凹溝３内を掘削する必要がないため、掘削量を少なくすることができるとともに、凹溝３の形状に対応させて掘削手段６１を移動させる必要がなくなるため、コンクリート矢板１近傍の土砂を簡易に掘削することができる。
なお、凹溝３内に浸入する泥水量が少ない場合には、コンクリート矢板１’を側壁用溝５１内に挿入して、矢板本体２の内方側の掘削領域を掘削し、凹溝３内の土砂を洗い流した後に、被覆板７０を凹溝３内に取り付けてもよく、その順序は限定されるものではない。
【００６２】
このように、第２実施形態のコンクリート矢板１’では、被覆板７０によって、矢板本体２の凹溝３が覆われた状態で側壁が構築されるため、地下道路の内方に向けて平坦な壁面を形成することができる。これにより、側壁の脇に歩道を設けた場合に、歩行者が壁面に沿って円滑かつ安全に移動することができる。これは、視覚障害者や幼児が移動する場合に特に有効である。
また、第２実施形態のコンクリート矢板１’による側壁を河川等の水路に用いた場合には、側壁の凹凸による乱流を防ぐことができ、乱流による地盤の掘り起しを防ぐことができる。
【００６３】
以上、本発明の第２実施形態について説明したが、本発明は前記第２実施形態に限定されるものではない。
例えば、第２実施形態のコンクリート矢板１’では、矢板本体２から被覆板７０を取り外すことなく、その状態で地下道路の側壁として利用するため、前記したようにボルト７４を用いて被覆板７０を矢板本体２に取り付けることなく（図９（ａ）参照）、被覆板７０と矢板本体２との接合部位に充填した充填材の接着力によって固着させてもよい。この構成では、矢板本体２を全く加工する必要がなくなるため、矢板本体２の製造コストを抑制することができる。一方、ボルト７４を用いて被覆板７０を矢板本体２に取り付けた場合には、側壁の構築後に被覆板７０が破損した際に、簡易に被覆板７０を交換することができる。
【００６４】
また、被覆板７０の他の構成としては、図９（ｂ）に示すように、被覆板７０の外方側（図９（ｂ）の上側）の側面を、内方側に向けて凹状に湾曲させてアーチ状に形成し、その両側端部に取付部７２’，７２’を形成した構成がある。この構成では、被覆板７０の重量を大幅に増加することなく、被覆板７０全体の強度を高めることができる。
【００６５】
また、第１実施形態のコンクリート矢板１の防護板１０（図２（ａ）参照）と同様にして、図１０（ａ）に示すように、被覆板７０に凹溝３の内部形状と同一形状の凸部７６を形成し、矢板本体２に被覆板７０を取り付けた際に、凹溝３内の全域が凸部７６によって塞がれるように構成してもよい。
この構成では、凸部７６によって被覆板７０の強度が大きくなるため、コンクリート矢板１’を地盤に打設した際の衝撃や土圧による被覆板７０の破損を防止することができるとともに、凹溝３内の全域が塞がれるため、コンクリート矢板１’を地盤に打設した際に、凹溝３内への土砂の浸入を確実に防止することができる。なお、図１０（ｂ）に示すように、凸部７６に上下方向の中空部７７を設けることにより、凸部７６を有する被覆板７０を軽量化してもよい。
【００６６】
また、凸部７６を有する被覆板７０を矢板本体２に取り付ける構成としては、第１実施形態で図７（ａ）に示した構成と同様にして、被覆板７０の内方側から凸部７６内を通過して外方側に貫通させた取付孔を形成し、この取付孔を矢板本体２に設けられた水抜き孔に連通させ、被覆板７０の内方側から取付孔に挿入したボルトを、水抜き孔内に形成した雌ネジ部に螺着させることにより、被覆板７０を矢板本体２に取り付けてもよい。
さらに、凸部７６の形状は限定されるものではなく、図１０（ｃ）に示すように、先端部が凹溝３の底面３ａに当接しているリブ状の凸部７８でもよい。
【００６７】
なお、第１実施形態において、コンクリート矢板１による側壁を構築した後に、防護板１０（図２、図７および図８参照）を矢板本体２から取り外すことなく、矢板本体２に取り付けた状態を維持することにより、第２実施形態と同様の作用効果を発揮することができる。
【図面の簡単な説明】
【００６８】
【図１】第１実施形態のコンクリート矢板を示した図で、（ａ）はコンクリート矢板の斜視図、（ｂ）はその平面図である。
【図２】第１実施形態のコンクリート矢板を示した図で、（ａ）は防護板を取り付けたコンクリート矢板の斜視図、（ｂ）はその平面図である。
【図３】第１実施形態のコンクリート矢板を用いて地下道路を構築する態様を示した図で、（ａ）はコンクリート矢板によって側壁を構築した状態の平面図、（ｂ）は図３（ａ）のＡ−Ａ断面図である。
【図４】第１実施形態のコンクリート矢板を用いて地下道路を構築する態様を示した図で、コンクリート矢板による側壁の内方側を掘削している態様の平面図、（ｂ）はその側断面図である。
【図５】第１実施形態のコンクリート矢板を用いて地下道路を構築する態様を示した図で、（ａ）は防護板を取り外している態様の側断面図、（ｂ）は側壁に支保工を取り付けた状態の側断面図である。
【図６】第１実施形態のコンクリート矢板を用いて構築した地下道路を示した断面図である。
【図７】第１実施形態の防護板の他の実施形態を示した図で、（ａ）は水抜き孔を用いて矢板本体に取り付ける構成の平面図、（ｂ）は充填材によって矢板本体に取り付ける構成の平面図、（ｃ）は、平板を用いた構成の平面図である。
【図８】第１実施形態の防護板の他の実施形態を示した図で、（ａ）は平面視で台形の凸部を形成した構成の平面図、（ｂ）は平面視で半円形の凸部を形成した構成の平面図、（ｃ）はリブ状の凸部を形成した構成の平面図である。
【図９】第２実施形態のコンクリート矢板を示した図で、（ａ）は第２実施形態のコンクリート矢板の平面図、（ｂ）は第２実施形態の他の構成を示しており、被覆板の外方側の側面を湾曲させた構成の平面図である。
【図１０】第２実施形態のコンクリート矢板の他の構成を示した図で、（ａ）は被覆板に凸部が形成された構成の平面図、（ｂ）は被覆板の凸部に中空部が形成された構成の平面図、（ｃ）は被覆板にリブ状の凸部が形成された構成を示した平面図である。
【符号の説明】
【００６９】
１      コンクリート矢板（第１実施形態）
１’    コンクリート矢板（第２実施形態）
２      矢板本体
３      凹溝
５      内方側面
１０    防護板
１５    充填材
２０    側壁
５０    地下道路
５１    側壁用溝
７０    被覆板
【図１】
2006057424.tif 000003
【図２】
2006057424.tif 000004
【図３】
2006057424.tif 000005
【図４】
2006057424.tif 000006
【図５】
2006057424.tif 000007
【図６】
2006057424.tif 000008
【図７】
2006057424.tif 000009
【図８】
2006057424.tif 000010
【図９】
2006057424.tif 000011
【図１０】
2006057424.tif 000012